(57)【要約】【課題】滅菌が充分に行われない状態で、作業者がチャンバからロータを取り出すことを抑制する。【解決手段】、制御部２０１は、ロータ室に大気を導入してからリフタ１０６を操作してロータ室を開放し、ロータをチャンバ１０１から取り出す（開放工程）前に、不活性化処理が適正に行われたか否かを、記憶部２０３を参照することによって、判定する。この際、不活性化処理が適正に行われたと判定されない場合には、開放工程は行われない。【選択図】図１
2015104700.tif 000002
【特許請求の範囲】
【請求項１】
試料を内部に具備するロータがロータ室に密封された状態で回転することによって前記試料の遠心分離処理が行われ、前記ロータが前記ロータ室に密封された状態で前記ロータに前記試料が供給される遠心機であって、
前記ロータの内部に前記試料が注入された時点から前記ロータの内部の滅菌処理が適正に行われたか否かの情報を記憶する記憶部を具備することを特徴とする遠心機。
【請求項２】
前記ロータ室を開放させる制御を行う制御部を具備し、
前記制御部は、前記情報を参照し、前記滅菌処理が適正に行われていない場合には、前記ロータが密封された前記ロータ室を開放させないことを特徴とする請求項１に記載の遠心機。
【請求項３】
運転状況を表示する表示部を具備し、
前記ロータの内部に前記試料が注入された時点から前記ロータの内部の滅菌処理が適正に行われたか否かが前記表示部で表示されることを特徴とする請求項１又は２に記載の遠心機。
【請求項４】
前記滅菌処理は、前記ロータの内部に接続され前記試料が供給される際の経路とされる配管に高温蒸気を流すことによって行われることを特徴とする請求項１から請求項３までのいずれか１項に記載の遠心機。
【請求項５】
前記試料と前記高温蒸気を切り替えて前記配管に供給する供給装置を具備することを特徴とする請求項４に記載の遠心機。
【請求項６】
試料を内部に具備するロータがロータ室に密封された状態で回転することによって前記試料の遠心分離処理が行われ、前記ロータが前記ロータ室に密封された状態で前記ロータに配管を介して前記試料が供給される遠心機の制御方法であって、
前記ロータの内部に前記試料が注入された時点から前記ロータの内部の滅菌処理が適正に行われたか否かの情報を記憶部に記憶し、
前記情報を読み込み、前記ロータの内部に前記試料が注入された時点から前記ロータの内部の滅菌処理が適正に行われたか否かを判定する判定工程を具備し、
前記滅菌処理が適正に行われた場合に限り、前記判定工程の後に、前記ロータが密封された前記ロータ室を開放する開放工程を行うことを特徴とする遠心機の制御方法。
【発明の詳細な説明】
【技術分野】
【０００１】
本発明は、遠心分離処理された試料を用いてワクチン等を製造するために用いられる遠心機（遠心分離機）、及びその制御方法に関する。
【背景技術】
【０００２】
高速回転時の遠心力によって密度の異なる物質を分離あるいは分析するために、遠心機（遠心分離機）が用いられている。遠心機においては、ロータを回転させるモータの回転速度（回転数：ｒｐｍ）が定められ、ロータに試料が導入された状態で、ある定められた時間だけこの回転数でロータが回転し、この間に試料には強い遠心力が加わる。この際の加速度（遠心加速度）は、重力加速度Ｇを単位として数万Ｇ以上となる場合もあり、この場合には、特にロータの回転速度を高速とするため、通常は、ロータは、真空排気されたロータ室に設けられる。遠心分離処理後には、試料は密度に応じて分離される。
【０００３】
こうした遠心機を用いて、例えばワクチン等を製造することができる。この場合には、ワクチンの原料となる試料が遠心分離処理され、密度に応じて分離された後に所望の密度に対応した部分が選択的に抽出され、ワクチンとして使用される。分析のために用いられる遠心機とは異なり、こうした目的で使用される遠心機は、回転するロータ中に試料が連続的に注入されることによって多量の試料が扱われ、処理後に所望の量のワクチンが得られるような構成とされる。この処理を繰り返すことにより、更に大量のワクチンを製造することができる。
【０００４】
こうした遠心機の構成は、例えば特許文献１に記載されている。この遠心機においては、円筒形のチャンバ中に、チャンバと同軸とされた円柱形のロータが設置されて密封され、ロータがチャンバの中心軸の周りで回転する構成とされる。この中心軸は鉛直方向とされ、ロータは、上回転軸と下回転軸によってチャンバ内で支持され、上側に設けられたモータによって高速回転する。この際、ロータの温度も制御される。
【０００５】
試料遠心分離処理されるべき試料のロータ内への供給は、下回転軸を介して行われる。このため、下回転軸の下側には下回転軸に試料を注入するための試料注入コネクタが設けられる。試料は、チャンバから離間した箇所に設置された試料タンクから、試料注入コネクタとの間に接続された配管を介して流れる構成とされる。また、この試料の流れのオン・オフを制御するための供給装置（特許文献１においては滅菌装置）が、試料タンクと試料コネクタとを接続する配管の途中に設けられ、作業者は、この供給装置を操作し、供給装置中に設けられた送液ポンプを制御することにより、回転中のロータへの試料の注入の制御を行うことができる。また、上回転軸には試料排出コネクタが設けられ、ロータの上側からこの試料排出コネクタを介して試料を排出することもできる。
【０００６】
上記の遠心機を用いてワクチン等を製造する際には、実際には、密度勾配液（ショ糖溶液等）が予めロータ内に注入された状態で遠心分離処理が行われ、密度勾配液において回転軸を中心とした密度分布が生成され、密度の高い領域は外側に移動する。その後で、回転が維持された状態で連続的に試料が注入され、試料においても回転軸を中心として同様の密度分布が生成される。その後、回転が停止した際には、重力によって、この軸方向の密度分布は鉛直方向の密度分布に変化し、密度の高い領域が下側となる。このため、遠心分離処理後の試料及び密度勾配液を試料注入コネクタから回収すれば、これらは密度の高い領域から順次回収されるため、所望の密度の領域を選択的に分離して抽出することができる。
【０００７】
上記の操作を適宜繰り返すことによって、大量のワクチンを製造することができる。この場合には、１回の処理によって抽出された試料（一つのロット）を回収した後に、再び同様に密度勾配液、試料をロータに注入して、同様の処理を行う。この際、試料を回収した後のロータをチャンバから取り出して他のロータに交換する、あるいはロータを洗浄して再度装着するという作業が必要となる。これらの作業において、例えば、本来ワクチンを製造するために必要なウィルス以外の種類のウィルスや不純物が途中で混入した場合には、所望のワクチンを製造することが困難となる。こうした他のウィルスや不純物の混入が起こる確率は、遠心分離処理の途中よりも、１回の処理が終了して次の処理を行うまでにロータがチャンバから取り出された間において特に高くなることは明らかである。
【０００８】
このため、特許文献１に記載の技術においては、ロータがチャンバ内に装着された状態で、試料が流される配管を介してロータ内部に高温の蒸気を流すことができる設定とされる。このために、供給装置においては、前記の通りに試料を試料注入コネクタに注入でき、かつ、配管の切り替えによって滅菌のための高温蒸気や、蒸留水（冷却水）、高圧空気等を試料排出コネクタや試料注入コネクタを介してロータ側に供給・排出することができる構成とされる。高温蒸気、水、高圧空気等は、供給装置に対して外部から供給される。
【０００９】
こうした構成により、１回の処理前に密度勾配液をロータに注入する前に、ロータがチャンバ内に設置された状態において、ロータあるいはロータに接続された配管内に高温の蒸気を流すことによって、これらを滅菌することができる。こうした処理は、ＣＩＰ（定置洗浄）あるいはＳＩＰ（定置滅菌）として知られている。すなわち、特許文献１に記載の技術においては、供給装置を用いてＣＩＰ、ＳＩＰを行うことができる。これによって、不要なウィルスや不純物の混入を抑制し、高効率でワクチン等の製造を行うことができる。
【００１０】
１回の遠心分離処理が終了した後はロータ内の液を回収し、その後、再びロータあるいはロータに接続された配管内に高温の蒸気を流すことによって、これらを滅菌する。この理由は、ロータを取り外す際に、ロータあるいはロータに接続された配管内に存在するウィルスを遠心機外に拡散することを防止するためである。
【００１１】
このため、上記の滅菌処理は、遠心分離処理の直前（密度勾配液注入前）と、遠心分離処理の直後（遠心分離処理後の試料回収後）の２回行われる設定とされる。
【先行技術文献】
【特許文献】
【００１２】
【特許文献１】特開２００６−２１１２１号公報
【発明の概要】
【発明が解決しようとする課題】
【００１３】
上記の滅菌処理を適正に行うことによって、上記のように繰り返しワクチンを正常に製造することができる。しかしながら、例えば外部から高温蒸気を供給する系統に異常が発生した場合や、停電が発生した場合に、上記の滅菌処理が適正に行われない場合がある。
【００１４】
ここで、遠心分離処理直前の滅菌処理が正常に行われなかった場合には、その直後のロットに不要なウィルスが混入し、このロットは不良品となる可能性がある。しかしながら、このロットにおける遠心分離処理直後の滅菌処理と次のロットのための遠心分離処理直前の滅菌処理が適正に行われれば、以降のロットでは良品を得ることが可能である。
【００１５】
これに対して、遠心分離処理直後の滅菌処理が正常に行われなかった場合には、ロータを取り外す際に、ロータあるいはロータに接続された配管内に存在するウィルスがロータ以外の外部等に付着するおそれがあり、この場合には、以降のロット全てにこの影響が及ぶ可能性がある。すなわち、遠心分離処理直前の滅菌処理のみが適正に行われなかった場合には、その影響を１ロットのみにとどめることは容易であるが、遠心分離処理直後の滅菌処理が適正に行われなかった場合には、その影響は以降の多くのロットに及ぶ可能性がある。このため、遠心分離処理の直前、直後の滅菌処理を共に適正に行うことが重要であり、特に遠心分離処理直後の滅菌処理を適正に行うことは、ワクチンを大量生産する場合において重要である。
【００１６】
この点において、従来の遠心機においては、遠心分離処理直後の滅菌処理に異常が発生した場合、滅菌が充分に行われない状態で、作業者の判断でチャンバからロータを取り出すことが可能であった。すなわち、ワクチン等を製造するための遠心機において、滅菌が充分に行われない状態で、作業者がチャンバからロータを取り出すことが可能であった。
【００１７】
本発明は、かかる問題点に鑑みてなされたものであり、上記の問題点を解決する発明を提供することを目的とする。
【課題を解決するための手段】
【００１８】
本発明は、上記課題を解決すべく、以下に掲げる構成とした。
本発明の遠心機は、試料を内部に具備するロータがロータ室に密封された状態で回転することによって前記試料の遠心分離処理が行われ、前記ロータが前記ロータ室に密封された状態で前記ロータに前記試料が供給される遠心機であって、前記ロータの内部に前記試料が注入された時点から前記ロータの内部の滅菌処理が適正に行われたか否かの情報を記憶する記憶部を具備することを特徴とする。
本発明の遠心機は、前記ロータ室を開放させる制御を行う制御部を具備し、前記制御部は、前記情報を参照し、前記滅菌処理が適正に行われていない場合には、前記ロータが密封された前記ロータ室を開放させないことを特徴とする。
本発明の遠心機は、運転状況を表示する表示部を具備し、前記ロータの内部に前記試料が注入された時点から前記ロータの内部の滅菌処理が適正に行われたか否かが前記表示部で表示されることを特徴とする。
本発明の遠心機において、前記滅菌処理は、前記ロータの内部に接続され前記試料が供給される際の経路とされる配管に高温蒸気を流すことによって行われることを特徴とする。
本発明の遠心機は、前記試料と前記高温蒸気を切り替えて前記配管に供給する供給装置を具備することを特徴とする。
本発明の遠心機の制御方法は、試料を内部に具備するロータがロータ室に密封された状態で回転することによって前記試料の遠心分離処理が行われ、前記ロータが前記ロータ室に密封された状態で前記ロータに配管を介して前記試料が供給される遠心機の制御方法であって、前記ロータの内部に前記試料が注入された時点から前記ロータの内部の滅菌処理が適正に行われたか否かの情報を記憶部に記憶し、前記情報を読み込み、前記ロータの内部に前記試料が注入された時点から前記ロータの内部の滅菌処理が適正に行われたか否かを判定する判定工程を具備し、前記滅菌処理が適正に行われた場合に限り、前記判定工程の後に、前記ロータが密封された前記ロータ室を開放する開放工程を行うことを特徴とする。
【発明の効果】
【００１９】
本発明は以上のように構成されているので、滅菌が充分に行われない状態で、作業者がチャンバからロータを取り出すことを抑制することができる。
【図面の簡単な説明】
【００２０】
【図１】本発明の実施の形態となる遠心機の構成を示す斜視図である。
【図２】本発明の実施の形態となる遠心機の構成を示す正面図である。
【図３】本発明の実施の形態となる遠心機において、ロータがチャンバに装着された場合の構成を示す断面図である。
【図４】本発明の実施の形態となる遠心機において、１回の処理を行う際の動作を示すフローチャートである
【図５】本発明の実施の形態となる遠心機における表示部に表示される画面の一例である。
【発明を実施するための形態】
【００２１】
本発明の実施の形態に係る遠心機（遠心分離機）について説明する。この遠心機１は、回転するロータ中に連続的に試料を注入することができる連続遠心機であり、その機械的構成は特許文献１に記載された遠心機と同様である。図１は、この遠心機１の構成を示す斜視図であり、図２は、その正面図である。ここで、図１においてはロータがチャンバから取り出された状態が、図２においてはロータがチャンバに装着された形態（遠心分離処理が行われている際の形態）が示されている。また、図１においては、便宜上供給装置と試料タンクの記載が省略されている。
【００２２】
この遠心機１においては、実際に試料に対して遠心分離処理が行われる遠心分離部１００と、この遠心機１全体の制御を行う制御装置部２００、遠心分離部１００に対して試料や蒸気等を供給する供給装置３００が用いられる。遠心分離処理される対象となる試料は、試料タンク４００から供給装置３００に供給される。
【００２３】
遠心分離部１００においては、円筒状のチャンバ１０１中に円筒状のロータ１２０が収容可能な構成とされる。ロータ１２０の収容時には、ロータ１２０とチャンバ１０１とは同軸となるように配置され、この中心軸の回りでロータ１２０が高速回転することによって、ロータ１２０内の試料に遠心加速度が印加される。このため、ロータ１２０の上には上回転軸１２１が、下には下回転軸１２２がそれぞれ装着される。上回転軸１２１は、円板状のアッパープレート１０２に固定された駆動部１０３に連結され、駆動部１０３に設けられたモータによって駆動される。
【００２４】
また、チャンバ１０１は、その下側でベース１０４に固定され、ベース１０４には、下回転軸１２２を回転自在に支持する下側回転支持部１０５が設けられる。このため、ロータ１２０をチャンバ１０１内に収容した状態で、駆動部１０３によってロータ１２０を回転させることができる。また、ロータ１２０をチャンバ１０１に収容する際には、アッパープレート１０２によってチャンバ１０１の上側を封止することができる。これによって、チャンバ１０１内にロータ１２０を収容するロータ室Ｓが形成され、密封されたロータ室Ｓを真空排気（減圧）することによって、風損を発生させずにロータ１２０を高速回転させることができる。
【００２５】
また、下回転軸１２２、上回転軸１２１には、試料や濃度勾配液等の液状の物質や蒸気、高圧空気当の気体を通過させる通路が設けられており、これを介してロータ１２０内にこれらを注入することができる。また、ベース１０４には、上下方向に延伸するリフタ１０６も固定されており、アッパープレート１０２はこのリフタ１０６によって上下方向及び水平方向に移動可能とされたリフタ可動部１０７に固定される。このため、ロータ１２０を図１に示される形態でチャンバ１０１の外側に取り出すことができる。
【００２６】
図３は、ロータ１２０がチャンバ１０１に装着された状態のチャンバ１０１の中心軸に沿った断面図である。ロータ１２０内には、ロータ１２０と同軸の円筒形状とされ内部に試料が溜められるコア１２３が設けられており、ロータ１２０の図中の上下は、それぞれ着脱可能な椀状のカバー１２４、１２５で覆われ、カバー１２４、１２５にはそれぞれ上回転軸１２１、下回転軸１２２が装着される。これによって、ロータ１２０（コア１２３）内は密封された状態で、チャンバ１０１内のロータ室Ｓ中に収容される。また、上回転軸１２１には、駆動部１０３の上側において、上回転軸１２１中の通路に連結した試料排出コネクタ１０８が設けられる。下回転軸１２２には、下側回転支持部１０５の下側において、下回転軸１２２中の通路に連結した試料供給コネクタ１０９が設けられる。これにより、ロータ１２０が回転中においても、試料供給コネクタ１０９と試料排出コネクタ１０８を介してロータ１２０（コア１２３）への液状物質の供給・排出が可能とされる。
【００２７】
ワクチンを製造する前には、図１に示されるようにリフタ１０６を用いてロータ１２０をチャンバ１０１から引き上げ、ロータ１２０とカバー１２４、１２５、コア１２３等を分解し、これらを全て洗浄した後でこれらを組み立てる作業が必要となる。
【００２８】
以上の遠心分離部１００の構成は、特許文献１に記載されたものと同様である。
【００２９】
供給装置３００の構成は、特許文献１に記載された蒸気滅菌装置と同様であり、その内部の配管構成も同様である。すなわち、供給装置３００には、高温蒸気が外部から供給される蒸気接続口３０１、蒸留水が外部から供給される蒸留水供給口３０２、高圧空気が外部から供給されるエア接続口３０３が設けられる。また、試料タンク４００から配管３０４を介して試料が供給される試料供給口３０５も具備する。また、供給装置３００には配管３０６、３０７が接続され、配管３０６は試料供給コネクタ１０９に、配管３０７は試料排出コネクタ１０８にそれぞれ接続される。また、図示されていないが、密度勾配液も試料と同様に供給装置３００に供給される。作業者は、操作パネル３１０を操作することによって、供給装置３００内のバルブやポンプを操作し、試料（あるいは密度勾配液）、高温蒸気、蒸留水、高圧空気のいずれかを選択し、試料供給コネクタ１０９から試料排出コネクタ１０８側、あるいはこの逆向きに流すことができる。
【００３０】
この供給装置３００により、ロータ１２０に試料を供給する動作、高圧空気によってロータ１２０内から試料を排出する動作、ロータ１２０内を蒸留水で洗浄する動作、ロータ１２０内を高圧蒸気で滅菌する動作等を選択して行うことができる。これらの動作の選択は、作業者が操作パネル３１０を操作することによって行うことができるが、供給装置３００に接続された制御装置部２００を操作することによって行うこともできる。
【００３１】
制御装置部２００は、供給装置３００の操作、駆動部１０３の制御、ロータ室Ｓを減圧する真空排気系（図示せず）の制御、リフタ１０６の制御等を行う。このため、制御装置部２００は、これらの制御を行うためのＣＰＵ等を具備する制御部２０１と、上記の制御を行うため作業者の操作を受け付けると共に、運転状態（例えばロータ１２０の回転数等）の表示を行う操作パネル（表示部）２０２が設けられる、操作パネル２０２は、例えば液晶ディスプレイとタッチパネルの組み合わせで構成される。また、制御部２０１には、適正な遠心分離処理に際して必要となるデータを記憶する記憶部２０３が接続される。記憶部２０３は、制御装置部２００に対する電源が遮断された場合においてもデータを保持する不揮発性メモリ（フラッシュメモリ等）で構成される。
【００３２】
この遠心機１においては、この制御装置部２００の動作に特徴を有する。以下では、この動作について説明する。
【００３３】
図４は、この遠心機１において、ロータ１２０をチャンバ１０１に装着してから遠心分離処理を行い、ロータ１２０をチャンバ１０１から取り出すまでの制御部２０１の動作を示すフローチャートである。この処理は、例えばワクチンを１ロット生産する場合に相当する。
【００３４】
まず、制御部２０１は、リフタ１０６を制御して洗浄後の空のロータ１２０をチャンバ１０１に装着し、図２、図３の状態とする（Ｓ１）。
【００３５】
次に、制御部２０１は、供給装置３００を操作し、ＳＩＰ（定置滅菌処理）を行う（Ｓ２）。具体的には、ロータ室Ｓを減圧した状態にしてから、配管３０７側から配管３０６側に高温蒸気を流し、ロータ１２０内を滅菌する。高温蒸気の温度は、供給装置３００に高温蒸気を供給する設備で定まるが、供給装置３００内においても、その温度をモニターすることができる。所定の温度（例えば１２１℃°）以上の高温蒸気が所定時間（例えば３０分）流された場合に、ＳＩＰが適正に行われたものと判定することができる。その後、ロータ内が所定の温度（例えば４０℃）以下になるまで待つ。この際、ロータ内を空冷または水冷によって強制冷却してもよい。
【００３６】
ＳＩＰが適正に行われたら、制御部２０１は、供給装置３００を制御し、配管３０６側からロータ１２０に所定の量の密度勾配液を注入する（Ｓ３）。その後、密度勾配を形成するために、駆動部１０３を制御し、所定の回転数でロータ１２０を回転させる（Ｓ４）。
【００３７】
その後、制御部２０１は、供給装置３００を制御し、所定の回転数で回転するロータ１２０に配管３０６側から試料を注入する（Ｓ５）。この動作は、所定の量の試料がロータ１２０に注入されるまで連続的に行われる。その後、ロータ１２０の回転は、所定の時間だけ維持される（Ｓ６）。
【００３８】
所定の時間が経過したら、制御部２０１は、駆動部１０３を制御し、ロータ１２０の回転を減速、停止する（Ｓ７）。
【００３９】
ロータ１２０の回転が停止した後には、ロータ１２０内における試料は、密度に応じて鉛直方向に分布する。制御部２０１は、ロータ１２０が停止して試料の回収が可能な状態となったか否かを判定し（Ｓ８）、可能であると判定された場合には、供給装置３００を制御し、ロータ１２０内の液体を試料供給コネクタ１０９（配管３０６）側から回収する（Ｓ９）。この際、制御装置３００は、所望の密度の箇所を選択的に回収し、所望の密度の箇所以外の液体を廃棄する構成とし、ロータ１２０内の試料をすべて抜き取る。
【００４０】
供給装置３００に設けられた流量計等の出力によって、注入された総量と同量の液体が抜き取られたと制御部２０１が判断したら（Ｓ１０）、全ての液体が抜き取られたとみなされ、制御部２０１は、ＳＩＰ（Ｓ２）と同様に、高温蒸気をロータ１２０内に流し、滅菌（不活性化）を行う（Ｓ１１）。この不活性化処理においても、所定の温度以上の蒸気が所定時間流された場合に、処理が適正に行われたと判定される。この処理が適正に行われた場合、制御部２０１は、その旨を記憶部２０３に記憶させる。
【００４１】
上記の工程においては、ロータ１２０において活性のウィルスが存在しているのは、試料注入（Ｓ５）からこの不活性化処理（Ｓ１１）が終了する前までである。このため、例えば、制御部２０１は、試料注入（Ｓ５）が開始したら記憶部２０３にフラッグ”１”を記憶させ、不活性化処理（Ｓ１１）が適正に終了したと判定した場合にフラッグ”０”を記憶させることができる。
【００４２】
その後、制御部２０１は、供給装置３００を制御し、洗浄液として蒸留水をロータ１２０に流す（Ｓ１２）。これによって、ロータ１２０内は洗浄され、かつ活性のウィルスも存在しない状態となる。
【００４３】
その後、制御部２０１は、ロータ室Ｓに大気を導入してからリフタ１０６を操作してロータ室Ｓを開放し、ロータ１２０をチャンバ１０１から取り出す（開放工程：Ｓ１４）前に、前記の不活性化処理（Ｓ１１）が適正に行われたか否かを、記憶部２０３を参照することによって、判定する（判定工程：Ｓ１３）。この際、不活性化処理が適正に行われたと判定されない場合には、開放工程（Ｓ１４）は行われない。
【００４４】
上記の動作において、全ての工程、特に不活性化処理（Ｓ１１）が適正に終了した場合には、判定工程（Ｓ１３）は不要である。しかしながら、実際には、処理の途中で停電等が発生する場合がある。また、前記の通り、高温蒸気等は供給装置３００に外部から供給されるため、この供給系統に異常が発生する可能性もある。こうした場合においては、不活性化処理（Ｓ１１）は開始したがその途中で異常終了する場合もある。こうした場合において、上記の制御方法によれば、不活性化処理（Ｓ１１）が適正に行われたと判定された場合以外には、ロータ室Ｓが開放されることはない。不活性化処理が適正に行われていないと判定された場合には、再度不活性化処理（Ｓ１１）を行わせる、及び／又はその旨を操作パネル２０２に表示させて処理を中断する、等の動作を行わせることができる。
【００４５】
図５は、こうした表示を行う操作パネル２０２の画面の一例である。この画面においては、画面中央付近の回転プロファイル表示部Ｃ１に、現時点までにおけるロータ１２０の回転数の時間経過が表示され、その右側の工程表示部Ｃ２に、設定された工程（図４に対応）が表示され、現時点までに行われた工程が発光して表示されている。最下部のウィルス活性情報表示部Ｃ３に、現時点のロータ１２０におけるウィルス活性の状況が表示されている。この表示は、記憶部２０３に記憶された前記のフラッグを参照して行うことができる。この場合には、ウィルス活性情報表示部Ｃ３において、「遠心分離」が開始した時点で「ウィルス活性化（＋）」が表示され、不活性化処理が適切に終了したと判定された場合において、「ウィルス活性化（−）」が表示される。
【００４６】
この際、記憶部２０３が不揮発性メモリで構成されれば、停電が処理の途中で発生した場合においても、ウィルス活性についての適正な情報が表示される。こうした表示を行うことによって、作業者は、現時点でのウィルス活性の状況を把握することができ、突発的な事故（地震等）が発生して遠心機１が破損した場合においても、適正な処置を行うことができる。
【００４７】
上記の構成において、不活性化処理が適正に行われたにもかかわらずこれが適正に行われなかったものとされた情報が記憶部２０３に記憶されている場合もありえ、その場合においても開放工程を実施することができない。しかしながら、この不活性化処理に関する情報は、製造における極めて重要であるため、この情報が容易に書き換えられないような構成とすることが好ましい。このため、この遠心機１の管理権限を有する管理者情報を記憶部２０３に記憶させ、この管理者が操作パネル２０２を用いてログインした場合に限り、記憶部２０３に記憶された不活性化処理に関する情報を書き換えることができる設定とすることが好ましい。
【００４８】
上記の例においては、この遠心機でワクチンを製造する場合について記載したが、これ以外の処理を行う場合においても、滅菌処理が行われないことによって悪影響が発生する材料を扱う場合であれば、同様の構成が有効であることは明らかである。
【００４９】
また、上記の例では、ロータ室が減圧される構成とされたが、ロータ室の減圧を要しない程度の回転数で用いられる遠心機においても、同様の構成が有効であることは明らかである。
【００５０】
また、上記の例においては、試料や高温蒸気等を切り替えて供給する単一の供給装置が用いられた。しかしながら、切り替え動作を行う単一の供給装置が用いられず、試料や高温蒸気等を別系統からロータに供給する場合でも、試料や高温蒸気の流れをモニターした出力が制御部に入力し、試料の流れや不活性化処理に関する情報を記憶部に記憶させることができる限りにおいて、同様の動作（制御方法）を実行することができることは明らかである。
【符号の説明】
【００５１】
１  遠心機（遠心分離機）
１００  遠心分離部
１０１  チャンバ
１０２  アッパープレート
１０３  駆動部
１０４  ベース
１０５  下側回転支持部
１０６  リフタ
１０７  リフタ可動部
１０８  試料排出コネクタ
１０９  試料供給コネクタ
１２０  ロータ
１２１  上回転軸
１２２  下回転軸
１２３  コア
１２４、１２５  カバー
２００  制御装置部
２０１  制御部
２０２、３１０  操作パネル（表示部）
２０３  記憶部
３００  供給装置
３０１  蒸気接続口
３０２  蒸留水供給口
３０３  エア接続口
３０４、３０６、３０７  配管
３０５  試料供給口
４００  試料タンク
Ｓ  ロータ室
Ｃ１  回転プロファイル表示部
Ｃ２  工程表示部
Ｃ３  ウィルス活性情報表示部
【図１】
2015104700.tif 000003
【図２】
2015104700.tif 000004
【図３】
2015104700.tif 000005
【図４】
2015104700.tif 000006
【図５】
2015104700.tif 000007